(57)【要約】【課題】  従来の持帰り買物かごは重ねた２つのかごを取っ手を握って持運びできる構造になっていないため、ショッピングカートに載せて買物をしなければならないが、店舗が狭い場合は使いづらいという課題がある。また重ねた２つのかごを取っ手を握って持運びができるように、店舗用かごと構造の違うかごを持帰り買物かごとして使用する場合は、互換性が無い２種類のかごを扱うことになってしまうため管理面で不便であったり、コストを下げにくいという課題が残る。【解決手段】  本発明は、本体が同一の取っ手付かごを２つ重ねて、下のかごの取っ手を起こし、取っ手を握って持運びできるようにするために、下のかごの取っ手をかご本体の側面に設けた別の取付部（または上のかごと同じ取付部）に、かごの側面方向から取付けられるようにして、上のかごの取っ手の幅（の外）寸法に対して下のかごの取っ手の幅（の内）寸法を略同一以上にする。【選択図】  図３
2005192667.tif 000002
【特許請求の範囲】
【請求項１】
品物を入れて持運びする取っ手付のかごであって、かごの上縁部の上面に２本の第１の取っ手を取付けるための４箇所の第１の取付部を有すると共にかごの上縁部の下方のかご側面に２本の第２の取っ手を取付けるための４箇所の第２の取付部を有し、第１の取付部付近において第２の取っ手の幅（の内）寸法が、第１の取っ手の幅（の外）寸法に対して略同一以上であって、前記第１の取っ手と前記第２の取っ手のいずれかを取付けて使用することを特徴とする取っ手付のかご。
【請求項２】
品物を入れて持運びする取っ手付のかごであって、かごの上縁部の上面に２本の第３の取っ手もしくは２本の第４の取っ手のいずれかを取付けるための４箇所の取付部を有し、取付部付近において、第３の取っ手の幅の外寸法に対して、幅の内寸法が略同一以上であるところの前記第４の取っ手をかごの側面方向から取付けて使用することを特徴とする取っ手付のかご。
【発明の詳細な説明】
【技術分野】
【０００１】  本発明は、品物を入れて持運びする取っ手付のかごに関するものである。
【背景技術】
【０００２】  図１は、持帰り買物かごや店舗用買物かごとして使用される取っ手付のかごの従来例を示す。昨今、レジ袋削減のために持帰り買物かごを店舗内に持込んで店舗用買物かごを上から重ねて買物をし、代金計算所で持帰り買物かごを品物の入った店舗用買物かごから外して代金計算した品物を持帰り買物かごに移すことによって、レジ袋を使わないで済ませようというシステムがある。この持帰り買物かごシステムでは、店舗用買物かごと色違いの同一形状のかごが持帰り買物かごとして使われるのが一般的であるが、この場合、重ねた２つのかごを取っ手を握って持運びできる構造になっていないため、ショッピングカートに載せて買物をしなければならない。そこで、重ねた２つのかごを取っ手を握って持運びができるように、店舗用かごと構造の違うかごを持帰り買物かごとして使用することも提案されているが、この場合、２種類のかごを扱うことになる。
【発明の開示】
【発明が解決しようとする課題】
【０００３】  従来の持帰り買物かごは重ねた２つのかごを取っ手を握って持運びできる構造になっていないため、ショッピングカートに載せて買物をしなければならないが、店舗が狭い場合は使いづらいという課題がある。また重ねた２つのかごを取っ手を握って持運びができるように、店舗用かごと構造の違うかごを持帰り買物かごとして使用する場合は、互換性が無い２種類のかごを扱うことになってしまうため管理面で不便であったり、コストを下げにくいという課題が残る。
【課題を解決するための手段】
【０００４】請求項１の発明の構成上の特徴と作用効果を示す。請求項１の発明は、品物を入れて持運びする取っ手付のかごであって、かごの上縁部の上面に２本の第１の取っ手を取付けるための４箇所の第１の取付部を有すると共にかごの上縁部の下方のかご側面に２本の第２の取っ手を取付けるための４箇所の第２の取付部を有し、第１の取付部付近において第２の取っ手の幅（の内）寸法が、第１の取っ手の幅（の外）寸法に対して略同一以上であって、前記第１の取っ手と前記第２の取っ手のいずれかを取付けて使用することを特徴としている。【０００５】  請求項１の発明の構成によれば、第１の取っ手付きの第１のかごを第２の取っ手付きの第２のかごに上から重ねても第２のかごの第２の取っ手を起こすことができるので、第２の取っ手を握ってかご本体が同一形状である第１と第２の２つのかごを持運びできるという作用効果がある。【０００６】請求項２の発明の構成上の特徴と作用効果を示す。請求項２の発明は、品物を入れて持運びする取っ手付のかごであって、かごの上縁部の上面に２本の第３の取っ手もしくは２本の第４の取っ手のいずれかを取付けるための４箇所の取付部を有し、取付部付近において、第３の取っ手の幅の外寸法に対して、幅の内寸法が略同一以上であるところの前記第４の取っ手をかごの側面方向から取付けて使用することを特徴としている。【０００７】  請求項２の発明の構成によれば、請求項１に記載した作用効果と同様に、第３の取っ手付きの第３のかごを第４の取っ手付きの第４のかごに上から重ねても第４のかごの第４の取っ手を起こすことができるので、第４の取っ手を握ってかご本体が同一形状である第３と第４の２つのかごを持運びできるという作用効果がある。
【発明の効果】
【０００８】  本発明に係る取っ手付かごを使用すれば、本体が同一の取っ手付かごを２つ重ねても下のかごの取っ手を起こすことができるので、取っ手を握って持運びでき、重ねた下のかごを持帰り買物かごとして使用すれば、ショッピングカートにこれらのかごを載せなくても済むので狭い店舗においても持帰り買物かごシステムが利用できるという効果がある。重ねた上のかごを店舗用買物かごとして使用すれば、重ねた２つのかご本体が同一品であるので、管理面で便利であり、コストを低減できる効果がある。
【発明を実施するための最良の形態】
【０００９】  本発明は、本体が同一の取っ手付かごを２つ重ねて、下のかごの取っ手を起こし、取っ手を握って持運びできるようにするために、上のかごの取っ手の幅（の外）寸法に対して下のかごの取っ手の幅（の内）寸法を略同一以上にしたものである。下のかごの取っ手の幅（の内）寸法を確保するために、下のかごの取っ手はかご本体の側面に設けた別の取付部（または上のかごと同じ取付部）に、かごの側面方向から取付けられるようにしたものである。
【実施例１】
【００１０】  実施例１（請求項１の実施例）を図２、図３、図４に基づいて説明する。実施例１は、かご本体Ａ１が４箇所の第１の取付部Ａ３ａと４箇所の第２の取付部Ａ３ｂを有する場合を示す。【００１１】  図２は、実施例１で、第１の取っ手Ａ２ａが取付けられたかごを示す。かご本体Ａ１の上縁部の上面Ａ１ａの４箇所に配置された第１の取付部Ａ３ａに２本の第１の取っ手Ａ２ａが取付けられたかごで、店舗用買物かごとして使用できる。【００１２】  図３は、実施例１で、第２の取っ手Ａ２ｂが取付けられたかごを示す。かご本体Ａ１の上縁部の下方のかご側面Ａ１ｂの４箇所に配置された第２の取付部Ａ３ｂに２本の第２の取っ手Ａ２ｂがかごの側面方向から取付けられたかごで、持帰り買物かごとして使用できる。【００１３】  図４は、図２に示すかご（第１のかご）を図３に示すかご（第２のかご）に上から重ねた状態を示す。第２のかごの第２の取っ手Ａ２ｂを起こし、第２の取っ手Ａ２ｂを握ってこの２つのかごを持運びできるものである。第１及び第２のかご本体は同一品である。
【実施例２】
【００１４】  実施例２（請求項２の実施例）を図５に基づいて説明する。図５の実施例２は、かご本体Ｂ１の上縁部の上面Ｂ１ａの４筒所に配置された取付部Ｂ３に２本の第３の取っ手Ｂ２ａが取付けられた第３のかごを、第３のかごと同じ（第４のかごの）取付部Ｂ３に、２本の第４の取っ手Ｂ２ｂがかごの側面方向から取付けられた第４のかごに上から重ねて、第４のかごの第４の取っ手Ｂ２ｂを起こし、第４の取っ手Ｂ２ｂを握ってこの２つのかごを持運びできるものである。第３及び第４のかご本体は同一品である。
【産業上利用の可能性】
【００１５】  本発明の取っ手付かごは持帰り買物かごや店舗用買物かごに利用できる。
【図面の簡単な説明】
【００１６】
【図１】取っ手付のかごの従来例を示す。
【図２】実施例１で、第１の取っ手が取付けられたかごを示す。
【図３】実施例１で、第２の取っ手が取付けられたかごを示す。
【図４】実施例１で、２つのかごを重ねた状態を示す。
【図５】実施例２で、２つのかごを重ねた状態を示す。
【符号の説明】
【００１７】１      かご本体
２      取っ手
３      取付部
以下「Ａ……」は「実施例１の……」を示す。
Ａ１    かご本体
Ａ１ａ（かご本体の）上端部の上面
Ａ１ｂ（かご本体の）上端部の下方のかご側面
Ａ２ａ  第１の取っ手
Ａ２ｂ  第２の取っ手
Ａ３ａ  第１の取付部
Ａ３ｂ  第２の取付部
以下「Ｂ……」は「実施例２の……」を示す。
Ｂ１    かご本体
Ｂ１ａ（かご本体の）上端部の上面
Ｂ２ａ  第３の取っ手
Ｂ２ｂ  第４の取っ手
Ｂ３    取付部
【図１】
2005192667.tif 000003
【図２】
2005192667.tif 000004
【図３】
2005192667.tif 000005
【図４】
2005192667.tif 000006
【図５】
2005192667.tif 000007